(57)【要約】【課題】引く運動に用いるフィットネス器材の提供。【解決手段】引く運動に用いるフィットネス器材は、棒体３、及び取り外し可能状態で棒体３に設置し、２個の端部３１を備える第一、第二ハンドル４を備え、第一、第二ハンドル４は連接部分４０をそれぞれ備え、第一、第二ハンドル４の連接部分４０はそれぞれ第一、第二、第三孔４６、５２、５８を備え、第一、第二ハンドル４の各連接部分４０は、少なくとも１個の弾性縄１を提供し、第一、第二、第三孔４６、５２、５８に巻き付け、第一、第二ハンドル４、或いは棒体３を操作し、弾性縄１を伸ばし、弾性縄１が生じる弾性力に対抗することで運動効果を達成する。【選択図】図１
0003163907.tif 000002
【実用新案登録請求の範囲】
【請求項１】
棒体、第一ハンドル、第二ハンドル、第一弾性縄を備え、
前記棒体は、２個の端部と嵌接孔を備え、
前記嵌接孔は、前記一端部の端面から、前記棒体の縦軸に沿って、前記反対の端部の端面まで延伸し、
しかも、前記棒体は、２個の溝槽を備え、
前記２個の溝槽は、それぞれ前記２個の嵌接孔の端面から、前記棒体の縦軸に沿って延伸する縦方向部分、及びそれぞれ前記縦方向部分の前記２個の端部の端面から離れた一端より縦軸を巡り延伸する横方向部分を備え、
前記第一ハンドルは、前記棒体の一端部上に取り外し可能な状態で結合し、前記第一ハンドルは、グリップ部、連接部、及び前記グリップ部と前記連接部間において、前記第一ハンドルの縦軸に沿って延伸する連接部分を備え、
前記第一ハンドルはさらに、前記連接部の外周面より延伸する結合部品を備え、
前記第一ハンドルの連接部分は、前記連接部分外周面を貫通する第一孔、第二孔、第三孔を備え、
前記第一ハンドルの連接部は、前記棒体の一端部の嵌接孔中に、取り外し可能状態で嵌めて設置し、
前記第一ハンドルの結合部品は、移動可能状態で、前記縦方向部分を経由して、前記横方向部分内に嵌り、
前記第二ハンドルは、前記棒体の反対端部上に取り外し可能な状態で結合し、前記第二ハンドルは、グリップ部、連接部、及び前記グリップ部と前記連接部間において、前記第二ハンドルの縦軸に沿って延伸する連接部分を備え、
前記第二ハンドルはさらに、前記連接部の外周面より延伸する結合部品を備え、
前記第二ハンドルの連接部分は、前記連接部分外周面を貫通する第一孔、第二孔、第三孔を備え、
前記第二ハンドルの連接部は、前記棒体の反対端部の嵌接孔中に、取り外し可能状態で嵌めて設置し、
前記第二ハンドルの結合部品は、移動可能状態で、前記縦方向部分を経由して、前記横方向部分内に嵌り、
前記第一弾性縄は、前記第一ハンドル上に設置し、第一端と第二端を備え、
前記弾性縄の第一端は、前記第一ハンドルの第一、第二、第三孔を巡り固定され、これにより前記棒体、前記第一、第二ハンドルは、前記第一弾性縄を伸ばして弾性力を生じさせ、前記弾性力に対抗することで運動効果を達成することを特徴とする、引く運動に用いるフィットネス器材。
【請求項２】
前記第一、第二ハンドルの各第一、第二、第三孔は相互に平行で、
前記第一弾性縄の第二端は、前記第二ハンドルの第一、第二、第三孔を巡り固定されることを特徴とする請求項１に記載の引く運動に用いるフィットネス器材。
【請求項３】
前記第一、第二ハンドルは、前記連接部分と前記連接部との間に延伸する第一フランジをそれぞれ備え、
弾性を備える２個のライナーは、前記第一、第二ハンドルの連接部外に嵌めて設置し、しかも前記第一フランジと前記棒体端部端面との間に接触し、かつ前記２個のライナーは、前記第一、第二ハンドルの第一フランジと前記棒体端部端面に、それぞれ圧迫され、
これにより、前記２個のライナーは、前記棒体と前記第一、第二ハンドルに対して、弾性力を加え、前記第一、第二ハンドルは、前記棒体の縦軸に沿って、それぞれ前記２個の端部から離れた一端に接触し、これにより前記第一、第二ハンドルの各結合部品は、前記２個の横方向部分上にそれぞれ緊密に接触し、
こうして前記棒体と前記第一、第二ハンドルとの間の結合を、より緊密にすることができることを特徴とする請求項２に記載の引く運動に用いるフィットネス器材。
【請求項４】
前記第一弾性縄は、前記第一及び前記第二端間に延伸する中央部分を備え、
前記第一、第二ハンドルの各第一孔は、前記第二孔と前記第三孔との間に位置し、
前記第一弾性縄の第一端は、前記第一ハンドルの第一孔と第二孔の間を一周巡り、しかも前記第一端の末端は、前記第三孔の外側に位置し、
前記第一弾性縄の第二端は、前記第二ハンドルの第一孔と第二孔の間を一周巡り、しかも前記第二端の末端は、前記第三孔の外側に位置し、
前記第一弾性縄の中央部分は、前記第一及び第二ハンドルの各第一孔の間に位置することを特徴とする請求項３に記載の引く運動に用いるフィットネス器材。
【請求項５】
前記第一、第二ハンドルの各第一孔は、相互に離れた第一開口と第二開口を備え、
前記第一、第二ハンドルの各第二孔は、相互に離れた第一出口と第二出口を備え、
前記第一、第二ハンドルの各第三孔は、相互に離れた第一孔口と第二孔口を備え、
前記第一弾性縄の第一端の末端は、前記第一ハンドルの第三孔の第一孔口外に位置し、前記第一弾性縄の第二端の末端は、前記第二ハンドルの第三孔の第一孔口外に位置することを特徴とする請求項４に記載の引く運動に用いるフィットネス器材。
【請求項６】
前記第一、第二ハンドルは、グリップと前記連接部分との間に位置し、外周面より延伸する第二フランジを備え、
前記第一、第二ハンドルの各連接部分は、前記第一、第二フランジの間に位置し、しかも前記第一、第二ハンドルの各グリップには保護パッドを設置し、前記第一、第二ハンドルの各第二フランジにより、それぞれ前記保護パッドは前記連接部分内へと移動することができず、
しかも、前記各保護パッドにより、使用者はより快適に前記第一、第二ハンドルを握ることができることを特徴とする請求項５に記載の引く運動に用いるフィットネス器材。
【請求項７】
前記第一、第二ハンドルの各第一、第二、第三孔は、前記第一、第二ハンドルの各縦軸を巡り、相互に隔てて非平行であることを特徴とする請求項１に記載の引く運動に用いるフィットネス器材。
【請求項８】
前記引く運動に用いるフィットネス器材はさらに、第二弾性縄を備え、
前記第二弾性縄は、第一端と第二端を備え、
前記第二弾性縄の第一端は、前記第二ハンドルの第一、第二、第三孔を巡り、固定されることを特徴とする請求項１に記載の引く運動に用いるフィットネス器材。
【請求項９】
前記第一、第二弾性縄は、前記各第二端に結合する端部品、及び前記２個の端部品と結合する２個の嵌合具を備え、
前記２個の嵌合具は、それぞれ１個のベルトと結合することを特徴とする請求項８に記載の引く運動に用いるフィットネス器材。  
【考案の詳細な説明】
【技術分野】
【０００１】
本考案は引き縄を利用したフィットネス器材に関し、特に弾性縄を伸ばした後の弾性力に対抗することで運動効果を達成する、引く運動に用いるフィットネス器材に関する。
【背景技術】
【０００２】
引き縄を利用したフィットネス器材は、胸部と腕の筋肉を鍛錬可能な運動器具で、コンパクトで携帯に有利であるため、いつでもどこでも身体を鍛え、運動することができ、非常に便利である。従来の引き縄を利用したフィットネス器材は、多種の形式の構造を備える。内１種は、棒体、及び両端を棒体両側に固定した弾性縄により構成されるものである。この種の形式の引き縄を利用したフィットネス器材では、使用者は手で棒体の両端を握り持ち、両足で弾性縄の中央部分を踏み、棒体を胸部、或いは頭部の高さまで繰り返し引き上げ、胸部と腕の筋肉を鍛錬する効果を達成する。
【０００３】
本考案者の前案である特許文献１が掲示する「引き縄を利用したフィットネス器材」は、棒体上に取り外し可能な中空回転状の２個のハンドルを設置し、しかも２個のハンドルには、それぞれ付属接続部品を通して設置する。２個のハンドルの各付属接続部品は、それぞれ嵌合具と結合し、２個のハンドルの嵌合部はさらに、弾性縄が備える第一及び第二端のそれぞれ１個の端部品と、取り外し可能状態で結合する。引き縄を利用したフィットネス器材を操作し、弾性縄を引き伸ばすことで、使用者は弾性縄が伸びた時に生じる弾性力に対応して、運動効果を達成する。
【０００４】
上記した特許文献１の「引き縄を利用したフィットネス器材」は、運動効果を達成することはできるが、この種の引き縄を利用したフィットネス器材の弾性縄は、付属接続部品、嵌合具、端部品、及び弾性縄の第一端と第二端内に挿入する栓によらなければ、２個のハンドルと結合することはできない。そのため、製造コストがすこぶる高くなっている。さらに、弾性縄の第一及び第二端には、先ず栓を挿入し、これにより第一及び第二端の外径を大きくしなければ、端部品と結合することはできない。そのため、組立てには、より多くの時間が必要である。
【０００５】
さらに、上記した特許文献１の「引き縄を利用したフィットネス器材」に組み合わせる弾性縄は、それぞれに異なる使用者の使用には適していない。例えば、組み合わせた弾性縄の長さは、中程度の身体つきの使用者には適しているが、小柄な使用者にとっては、引き伸ばす長さが短いため、弾性縄の弾性力が十分でないと感じ、或いは大柄な使用者が使用する場合には、引き伸ばす長さが長いため、弾性縄の弾性力が強すぎると感じる恐れがある。本考案は、従来の引く運動に用いるフィットネス器材の上記した欠点に鑑みてなされたものである。
【先行技術文献】
【特許文献】
【０００６】
【特許文献１】米国特許第７３２６１５７号明細書
【考案の概要】
【考案が解決しようとする課題】
【０００７】
本考案が解決しようとする課題は、従来の引き縄を利用したフィットネス器材における弾性縄の長さを調整できず、さらに製造コストを引き下げられないという欠点を改善できる、引く運動に用いるフィットネス器材を提供することである。
【課題を解決するための手段】
【０００８】
上記課題を解決するため、本考案は下記の引く運動に用いるフィットネス器材を提供する。
引く運動に用いるフィットネス器材は、棒体、第一ハンドル、第二ハンドル、第一弾性縄を備え、
該棒体は、２個の端部と嵌接孔を備え、
該嵌接孔は、該一端部の端面から、該棒体の縦軸に沿って、該反対の端部の端面まで延伸し、
しかも、該棒体は、２個の溝槽を備え、
該２個の溝槽は、それぞれ該２個の嵌接孔の端面から、該棒体の縦軸に沿って延伸する縦方向部分、及びそれぞれ該縦方向部分の該２個の端部の端面から離れた一端より縦軸を巡り延伸する横方向部分を備え、
該第一ハンドルは、該棒体の一端部上に取り外し可能な状態で結合し、該第一ハンドルは、グリップ部、連接部、及び該グリップ部と該連接部間において、該第一ハンドルの縦軸に沿って延伸する連接部分を備え、
該第一ハンドルはさらに、該連接部の外周面より延伸する結合部品を備え、
該第一ハンドルの連接部分は、該連接部分外周面を貫通する第一孔、第二孔、第三孔を備え、
該第一ハンドルの連接部は、該棒体の一端部の嵌接孔中に、取り外し可能状態で嵌めて設置し、
該第一ハンドルの結合部品は、移動可能状態で、該縦方向部分を経由して、該横方向部分内に嵌り、
該第二ハンドルは、該棒体の反対端部上に取り外し可能な状態で結合し、該第二ハンドルは、グリップ部、連接部、及び該グリップ部と該連接部間において、該第二ハンドルの縦軸に沿って延伸する連接部分を備え、
該第二ハンドルはさらに、該連接部の外周面より延伸する結合部品を備え、
該第二ハンドルの連接部分は、該連接部分外周面を貫通する第一孔、第二孔、第三孔を備え、
該第二ハンドルの連接部は、該棒体の反対端部の嵌接孔中に、取り外し可能状態で嵌めて設置し、
該第二ハンドルの結合部品は、移動可能状態で、該縦方向部分を経由して、該横方向部分内に嵌り、
該第一弾性縄は、該第一ハンドル上に設置し、第一端と第二端を備え、
該弾性縄の第一端は、該第一ハンドルの第一、第二、第三孔を巡り固定され、これにより該棒体、該第一、第二ハンドルは、該第一弾性縄を伸ばして弾性力を生じさせ、該弾性力に対抗することで運動効果を達成し、
該第一、第二ハンドルは、該連接部分と該連接部との間に延伸する第一フランジをそれぞれ備え、
弾性を備える２個のライナーは、該第一、第二ハンドルの連接部外に嵌めて設置し、しかも該第一フランジと該棒体端部端面との間に接触し、かつ該２個のライナーは、該２個の第一フランジと該棒体端部端面に、それぞれ圧迫され、
これにより、該２個のライナーは、該棒体と該ハンドルに対して、弾性力を加え、
該第一、第二ハンドルは、該棒体の縦軸に沿って、それぞれ該２個の端部から離れた一端に接触し、これにより該第一、第二ハンドルの各結合部品は、該２個の横方向部分上にそれぞれ緊密に接触する。    
【考案の効果】
【０００９】
本考案の引く運動に用いるフィットネス器材は、弾性縄とハンドル結合の構造をシンプルにすることができ、製造コストを効果的に引き下げることができ、さらに、使用者は、弾性縄と２個のハンドル結合後に生じる弾性力区間の長さを簡単に調整でき、こうして、弾性縄が生じる弾性力の大きさを調整でき(長さの違う弾性縄に交換する必要はない)、使用における利便性を向上させることができる。さらに、ライナーはハンドルと棒体を圧迫することで生じる弾性力を受ける。ハンドルの棒体に対する結合をより緊密にすることができる。また、第一、第二ハンドルの各第一、第二、第三孔は、第一、第二ハンドルの各縦軸を巡り、相互に隔てて非平行であるため、第一或いは第二弾性縄は、第一及び第二ハンドル上に、安定的に結合される。
【図面の簡単な説明】
【００１０】
【図１】本考案の引く運動に用いるフィットネス器材第一実施例の立体分解外観図である。
【図２】本考案の引く運動に用いるフィットネス器材の第一実施例において、弾性縄をハンドル上に結びつける様子を示す第一動作図である。
【図３】本考案の引く運動に用いるフィットネス器材の第一実施例において、弾性縄をハンドル上に結びつける様子を示す第二動作図である。
【図４】本考案の引く運動に用いるフィットネス器材の第一実施例において、弾性縄のハンドル上への結びつけが完成した様子を示す立体外観図である。
【図５】本考案の引く運動に用いるフィットネス器材第一実施例の俯瞰図である。
【図６】図５の６−６線における断面図である。
【図７】本考案の引く運動に用いるフィットネス器材第一実施例の立体組合せ外観図である。
【図８】本考案の引く運動に用いるフィットネス器材第一実施例の第一種使用状態図である。
【図９】本考案の引く運動に用いるフィットネス器材第一実施例の第二種使用状態図である。
【図１０】本考案の引く運動に用いるフィットネス器材第一実施例の第三種使用状態図である。
【図１１】本考案の引く運動に用いるフィットネス器材第一実施例の第四種使用状態図である。
【図１２】本考案の引く運動に用いるフィットネス器材第一実施例において、弾性縄のプル区間を短くした様子を示す立体組合せ外観図である。
【図１３】本考案の引く運動に用いるフィットネス器材第二実施例の外観図である。
【図１４】本考案の引く運動に用いるフィットネス器材第二実施例の使用状態図である。
【図１５】本考案の引く運動に用いるフィットネス器材第三実施例の立体分解外観図である。
【考案を実施するための形態】
【００１１】
以下に図面を参照しながら本考案を実施するための最良の形態について詳細に説明する。但し、すべての図面は、本考案を基本的に説明するのみで、図面中の実施例を構成する部品の数量、位置、関係、サイズに対する説明を理解したことにより変化実施は、業界に属する人員の普通の技能で可能である。本考案の説明を閲読後に、特定の力量、重量、強度、及び類似要求の正確なサイズ、及びサイズ比率の改変もまた、業界に属する人員の普通の技能に属するものである。
【００１２】
異なる図面中において、相同の符号により、相同或いは類似の部品を標示する。また、文中の「第一」、「第二」、「第三」、「上」、「下」、「前」、「後」、「内」、「外」、「端」、「部」、「段」、「幅」、「長さ」、「区」、「周囲」、「側」など及び類似の用語は、図面を見る際の参考、及び本考案を説明するために用いるのみである。
【００１３】
本考案引く運動に用いるフィットネス器材は、棒体３を備える。棒体３は、それぞれ離れた２個の端部３１と嵌接孔３２を備える。嵌接孔３２は、一方の端部３１の端面から、棒体３の縦軸に沿って、反対の端部３１の端面まで延伸する。しかも、棒体３は、各端部３１の端面から棒体３の縦軸に沿って延伸する２個の溝槽３０を備える。２個の溝槽３０は、棒体３の縦軸に平行に延伸する縦方向部分３３、及び棒体３の縦軸を巡って延伸し、しかも縦方向部分３３末端に位置する横方向部分３４を備える。２個の溝槽３０の各縦方向部分３３と横方向部分３４とは、嵌接孔３２と連通する。
【００１４】
引く運動に用いるフィットネス器材はさらに、第一、第二ハンドル４を備える。第一、第二ハンドル４は、グリップ部２１、連接部２２、グリップ部２１と連接部２２間において、第一、第二ハンドル４に沿ってそれぞれの縦軸に延伸する連接部分４０をそれぞれ備える。第一、第二ハンドル４は、各グリップ部２１と各連接部分４０間において、外周囲より第一フランジ４２を延伸する。第一、第二ハンドル４は、各連接部分４０と各連接部２２間において、外周囲より第二フランジ４４を延伸する。第一、第二ハンドル４の各連接部分４０は、第一、第二フランジ４２、４４の間に位置する。これにより、第一、第二ハンドル４は、各第一、第二フランジ４２、４４により、グリップ部２１、連接部分４０と連接部２２を区画する。第一、第二ハンドル４の各グリップ部２１上には、発泡材質などで保護パッド２５を形成する。保護パッド２５の一端は、第二フランジ４４上に接触し、これにより保護パッド２５は、連接部分４０内に滑り入ることはない。しかも、保護パッド２５は、快適で、より好ましい摩擦力を提供することができる。第一、第二ハンドル４はさらに、各連接部２２に固定して設置する結合部品２２１を備える。図に示すように、結合部品２２１は、第一、第二ハンドル４に垂直な縦軸方向に沿って連接部２２を貫通し、しかも両端が連接部２２表面外に突出するネジにより構成する。結合部品２２１の外径は、縦方向及び横方向部分３３、３４の幅よりやや小さく、連接部２２は、第二フランジ４４に近い位置に、弾性材質(ゴムなど)により製造するライナー６４をそれぞれ嵌めて設置する。また、第一、第二ハンドル４の連接部分４０は、第一、第二ハンドル４の縦軸方向に垂直に、連接部分４０を貫通する第一孔４６、第二孔５２、第三孔５８をそれぞれ備える。図に示すように、第一、第二、第三孔４６、５２、５８は相互に平行で、しかも第一孔４６は第二孔５２と第三孔５８との間に位置し、２個の連接部分４０の各第一孔４６は、連接部分４０を貫通して形成する第一開口４８と第二開口５０を備える。２個の連接部分４０の各第二孔５２は、連接部分４０を貫通して形成する第一出口５４と第二出口５６を備える。２個の連接部分４０の各第三孔５８は、連接部分４０を貫通して形成する第一孔口６０と第二孔口６２を備える。
【００１５】
棒体３と第一、第二ハンドル４が結合すると、先ず第一、第二ハンドル４の各連接部２２は、各棒体３の２個の端部３１位置より、嵌接孔３２中に嵌る。これにより、棒体３の縦軸と第一、第二ハンドル４の縦軸は平行で、かつ重なり、第一、第二ハンドル４の各ライナー６４は、棒体３の２個の端部３１端面上に接触する。第一、第二ハンドル４の各結合部品２２１は、棒体３の２個の溝槽３０中にそれぞれ嵌り、しかも第一、第二ハンドル４の各結合部品２２１は、２個の縦方向部分３３より、２個の横方向部分３４まで移動して対応する。この時、第一、第二ハンドル４の各ライナー６４は、第二フランジ４４と棒体３の２個の端部３１端面に圧迫され、わずかな変形を生じる。さらに、第一、第二ハンドル４はそれぞれ、横方向部分３４の延伸方向に向かい回転する。これにより第一、第二ハンドル４の各結合部品２２１は、各横方向部分３４内に嵌り、第一、第二ハンドル４は、縦方向部分３３の延伸方向に沿って棒体３を離脱することはできなくなる。しかも、第一、第二ハンドル４の各ライナー６４は、第一フランジ４２と棒体３の端面の圧迫を受け、弾性力を生じる。これにより、第一、第二ハンドル４はそれぞれ棒体３の縦軸に沿って、２個の端部３１から離れた端面方向に向かい接触し、第一、第二ハンドル４の各結合部品２２１は、２個の横方向部分３４に緊密に接触し、こうして棒体３と第一、第二ハンドル４間の結合の緊密度を向上させる(第一、第二ハンドル４が棒体３に相対する際の結合間隙により生じる緩みを消去する)。
【００１６】
図に示すように、引く運動に用いるフィットネス器材において、設置する弾性縄の数量と形式は多種のさまざまな変化方式により実施することができる。図１〜８に示すように、引く運動に用いるフィットネス器材の第一、第二ハンドル４は、第一弾性縄１と結合して、本考案の第一実施例を形成する。第一弾性縄１は、間を開けて離れた第一端１１、第二端１２、及び第一、第二端１１、１２間に延伸する中央部分１３を備える。第一弾性縄１の第一端１１は、第一ハンドル４の第一、第二、第三孔４６、５２、５８上を巡って固定する。第一弾性縄１の第二端１２は、第二ハンドル４の第一、第二、第三孔４６、５２、５８上を巡って固定する。実際には、第一弾性縄１の第一端１１が巡る時には、第一弾性縄１の第一端１１は先ず、第一ハンドル４の第一孔４６の第二開口５０を通過し、次に第一開口４８より抜け出る(図２参照)。第一弾性縄１の第一端１１はさらに、第一ハンドル４の第二孔５２の第一出口５４を通過し、次に第二出口５６より抜け出る(図３参照)。これにより、弾性縄１の第一端１１は、第一ハンドル４の第一孔４６と第二孔５３との間において、一周巡り、第三孔５８に向う。最後に、第一弾性縄１の第一端１１を、第一ハンドル４の第三孔５８の第二孔口６２を通過し、次に第一孔口６０より抜け出て、第一弾性縄１の第一端１１は、第一ハンドル４の連接部分４０の第一、第二、第三孔４６、５２、５８に巻き付く(図４参照)。よって、第一弾性縄１の第一端１１から離れた一端(中央部分１３など)が引かれると、第一弾性縄１の第一端１１は、第一ハンドル４の第一孔４６と第二孔５２との間に、よりしっかりと結ばれ、第一弾性縄１の第一端１１は、第一ハンドル４の第三孔５８上において、第一弾性縄１の第一端１１が、引かれる過程において、第一ハンドル４の第一、第二孔４６、５２上から離脱しないように、効果的に防止することができる。この他、第一弾性縄１の第二端１２は、第二ハンドル４の第一、第二、第三孔４６、５２、５８上に巻き付き、しかも弾性縄１第二端１２の巻き付き、固定方式は、第一端１１と相同であるため、ここでは重複説明は行わない。第一弾性縄１の第一、第二端１１、１２が、第一、第二ハンドル４上にそれぞれ固定されると、図６、７に示すように、第一弾性縄１の中央部分１３は、自然に下垂する。
【００１７】
第一実施例の引く運動に用いるフィットネス器材は、多種の様々な方式により操作することができる。図８に示すように、使用者は、先ず第一弾性縄１の中央部分１３を両足で踏み、両手で棒体３を握り、地面に垂直な方向に沿って上下に棒体３を引き動かす。引き動かす過程においては、第一弾性縄１が引かれることで生じる弾力を克服しなければならず、こうして運動効果を達成する。図９に示すように、本考案は同様に、第一弾性縄１の中央部分１３を両足で踏み、棒体３を背面、かつ肩と首の間に位置させ、太ももとふくらはぎを湾曲させ、伸ばすことで、第一弾性縄１を伸ばして運動効果を達成することができる。図１０に示すように、片足で第一弾性縄１上を踏み、しかも第一弾性縄１を踏んだ足を前に動かし、第一弾性縄１を踏んでいない足を後ろに動かし、棒体３を背面、かつ肩と首の間に位置させ、両手で第一、第二ハンドル４の保護パッド２５をそれぞれ握り、両足を往復湾曲させ、伸ばす動作により、運動効果を達成することができる。図１１に示すように、本考案の引く運動に用いるフィットネス器材は、棒体３を分解した状態で使用することができる。この場合には、第一、第二ハンドル４を棒体３の各横方向部分３４の反対方向へとそれぞれ回転させ、これにより第一、第二ハンドル４の各結合部品２２１は、各横方向部分３４から離脱し、各縦方向部分３３内に進入する。これにより、第一、第二ハンドル４を、縦方向部分３３に沿って、端部３１から離れた方向へと抜き取ることができ、こうして連接部２２と棒体３の嵌接孔３２とは分離する。棒体３と結合していない状態において、使用者は、両足で第一弾性縄１の中央部分１３を踏み、使用者の両手は、第一、第二ハンドル４の保護パッド２５上をそれぞれ握り、両腕を湾曲或いは伸ばすことで、第一弾性縄１を引伸ばし運動効果を達成することができる。
【００１８】
図に示す第一実施例では、第一弾性縄１の第一、或いは第二端１１、１２を、第一、第二、第三孔４６、５２、５８上に結びつける距離を調整し、第一弾性縄１が生じる弾性力区間(すなわち、実際に引伸ばされた区間)の長さを調整することができる。図７に示す第一弾性縄１の第一、第二端１１、１２は第一、第二ハンドル４上にそれぞれ結合した後、第一、第二端１１、１２の、第三孔５８外に位置する長さは非常に短い。図１２に示す第一弾性縄１の第一、第二端１１、１２の、第三孔５８外に位置する長さは、図７に示す長さより長い。よって、図１２に示す第一弾性縄１の操作時に引き伸ばすことができる長さは、比較的短い。図７と図１２に示す第一弾性縄１の結合状態では、伸びる長さは相同(第一弾性縄１の変形量が相同)であるが、図１２に示す結合状態の第一弾性縄１が生じる弾性力は、図７に示す結合状態の第一弾性縄１より大きい。よって、使用者は自身の必要に応じて、第一弾性縄１の第一、第二端１１、１２が、第三孔５８外に位置する長さを適当に調整し、これにより第一弾性縄１が生じる弾性力の大きさを制御することができる。
【００１９】
第一実施例のように、棒体３と第一、第二ハンドル４は１本の第一弾性縄１を結合することができる他、本考案の引く運動に用いるフィットネス器材は、第一ハンドル４上に第一弾性縄１を結合し、第二ハンドル４上に第二弾性縄１を結合して形成することができる。図１３、１４に示す第二実施例では、第一、第二弾性縄１は、各第二端１２に固定して設置する端部品１４、及び２個の端部品１４とそれぞれ嵌めて接続する２個の嵌合具２８を備える。第一、第二弾性縄１の各嵌合具２８には、ベルト６６を設置する。第一弾性縄１の第一端１１は、第一ハンドル４の第一、第二、第三孔４６、５２、５８を巡り、固定される。第二弾性縄１の第一端１１は、第二ハンドル４の第一、第二、第三孔４６、５２、５８を巡り、固定される。しかも、実際には、第一、第二弾性縄１の各第一端１１は、第一実施例(図１〜１２参照)の第一弾性縄１の第一、第二端１１、１２と相同の巻き付け方式を採用する。
【００２０】
図１４に示すように、本考案第二実施例の引く運動に用いるフィットネス器材を使用する際には、第一、第二弾性縄１の各ベルト６６を、足に掛け(地面において踏み)、両手で棒体３を握る(第一、第二ハンドル４を握ることもできる)。これにより、地面に垂直な方向に沿って、両腕を動かし、第一、第二弾性縄１を引き伸ばし、第一、第二弾性縄１の引く力に対抗することで、運動の効果を達成することができる。
【００２１】
図１５に示す本考案の第三実施例では、棒体３と第一、第二ハンドル４と第一弾性縄１の第一、第二端１１、１２は結合する。第三実施例と第一、第二実施例との差異は、第一、第二ハンドル４の各第一、第二、第三孔４６、５２、５８が平行に排列する点である。すなわち、第一、第二ハンドル４の各第一、第二、第三孔４６、５２、５８は、第一、第二ハンドル４の縦軸をそれぞれ巡り、相互に離れ、非平行である。図１５に示す第三実施例では、第一、第二ハンドル４の各第二孔５２は、第一、第二ハンドル４の縦軸をそれぞれ巡り、２個の第一孔４６と６０°の角度を隔てる。第一、第二ハンドル４の各第三孔５８は、第一、第二ハンドル４の縦軸をそれぞれ巡り、２個の第一孔４６と６０°(第二孔５２とは反対方向)の角度を隔てる。こうして、第一、第二ハンドル４の各第一、第二、第三孔４６、５２、５８の角度差を利用し、第一弾性縄１の第一、第二端１１、１２は、より脱落しにくい状態で、第一、第二ハンドル４上に結合する。さらに、第三実施例が掲示する第一、第二ハンドル４は、同時に、第一、第二弾性縄１の第一端１１と結合させることができ、これにより第一、第二弾性縄１は、第一、第二ハンドル４からより脱落しにくくなる。
【００２２】
本考案の引く運動に用いるフィットネス器材は、第一、第二弾性縄１と第一、第二ハンドル４の結合の構造をシンプルにすることができ、製造コストを効果的に引き下げることができる。さらに、使用者は、第一、或いは第二弾性縄１と第一、第二ハンドル４結合後に生じる弾性力区間の長さを簡単に調整可能となる。こうして、第一或いは第二弾性縄１が生じる弾性力の大きさを調整でき(長さの違う弾性縄に交換する必要はない)、使用における利便性を向上させることができる。さらに、ライナー６４を設置するため、第一、第二ハンドル４と棒体３との間の結合をより緊密にすることができる。
【００２３】
本領域における通常の技能を有する人員が、等価応用と変化を行うことができるよう、本考案の基本構造を上記に説明した。例えば、第一、第二弾性縄１の第二端１２は、図示のように、第二ハンドル４或いはベルト６６と結合する他に、第一、第二弾性縄１の第二端１２は、嵌合具２８を通して、壁或いは地面のフック或いはリングと結合することができ、これによっても、弾性縄１を引く方式により、運動効果を達成することができる。また、結合部品２２１は、連接部２２を貫通しない螺合構成とすることができる。例えば、結合部品２２１は、連接部２２表面から一体成型する凸ブロックにより構成することができる。
【００２４】
上記の本考案名称と内容は、本考案の技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案の要件である新規性を備え、従来の同類製品に比べ十分な進歩を有し、実用性が高く、社会のニーズに合致しており、産業上の利用価値は非常に大きい。
【符号の説明】
【００２６】
１  第一、第二弾性縄
１１  第一端
１２  第二端
１３  中央部分
１４  端部品
２１  グリップ部
２２  連接部
２２１  結合部品
２５  保護パッド
２８  嵌合具
３  棒体
３０  溝槽
３１  端部
３２  嵌接孔
３３  縦方向部分
３４  横方向部分
４  第一、第二ハンドル
４０  連接部分
４２  第一フランジ
４４  第二フランジ
４６  第一孔
４８  第一開口
５０  第二開口
５２  第二孔
５４  第一出口
５６  第二出口
５８  第三孔
６０  第一孔口
６２  第二孔口
６４  ライナー
６６  ベルト
【図１】
0003163907.tif 000003
【図２】
0003163907.tif 000004
【図３】
0003163907.tif 000005
【図４】
0003163907.tif 000006
【図５】
0003163907.tif 000007
【図６】
0003163907.tif 000008
【図７】
0003163907.tif 000009
【図８】
0003163907.tif 000010
【図９】
0003163907.tif 000011
【図１０】
0003163907.tif 000012
【図１１】
0003163907.tif 000013
【図１２】
0003163907.tif 000014
【図１３】
0003163907.tif 000015
【図１４】
0003163907.tif 000016
【図１５】
0003163907.tif 000017